(57)【要約】      （修正有）【課題】シームレスに組合せ可能な広角発光ダイオード灯具を提供する。【解決手段】広角発光ダイオード灯具は、灯フレーム１０と、電源モジュール２０と、第一灯ヘッド３０と、第二灯ヘッド４０と、発光ダイオードモジュール５０とを備える。灯フレーム１０は、底収容部１２、及び、笠部１３を有する中空シェル状のプラスチック製管部材である。電源モジュール２０は、底収容部１２内に設置される。第一灯ヘッド３０は、灯フレーム１０の一つの開口１１に固定され、外側に電気的に接続可能な雌コネクタ３１が設置される。第二灯ヘッド４０は、灯フレーム１０の他の開口１１に固定され、外側に電気的に接続可能な雄コネクタ４１が設置される。発光ダイオードモジュール５０は、笠部１３内に対応的に固定される。複数の広角発光ダイオード灯具を直列に組み合わせ、シームレスに組合さった長灯管のような視覚効果を実現させることができる。【選択図】図１
0003212871.tif 000002
【実用新案登録請求の範囲】
【請求項１】
灯フレーム、電源モジュール、第一灯ヘッド、第二灯ヘッド、及び、発光ダイオードモジュールを備えるダイオード灯具であって、
前記灯フレームは、断面が矩形となる底収容部、及び、前記底収容部と互いに連通している弧状の透明カバー体である笠部を有し、両端にそれぞれ開口が形成された長尺の中空シェル状のプラスチック製管部材であり、
前記電源モジュールは、前記灯フレームの前記底収容部内に固定され、
前記第一灯ヘッドは、断面形状が前記灯フレームの一つの前記開口に対応し、前記電源モジュールに電気的に接続している雌コネクタ、及び、前記笠部に対応する部分が薄板状に形成された第一プラグを有し、一つの前記開口に固定され、
前記第二灯ヘッドは、断面形状が前記灯フレームの他の前記開口に対応し、前記電源モジュールに電気的に接続し前記雌コネクタに対応する雄コネクタ、及び、前記笠部に対応する部分が薄板状に形成された第二プラグを有し、他の前記開口に固定され、
前記発光ダイオードモジュールは、前記笠部内に固定され、前記電源モジュールに電気的に接続する、ことを特徴とする広角発光ダイオード灯具。
【請求項２】
前記第一プラグと前記第二プラグとは透明である、ことを特徴とする請求項１に記載の広角発光ダイオード灯具。
【請求項３】
前記開口に近接する前記灯フレームの側壁面に第一係合部が設置され、
前記第一灯ヘッドの一側、及び前記第二灯ヘッドの一側に、それぞれに第二係合部が設置され、
前記第二係合部は、前記第一係合部と係合する、ことを特徴とする請求項１に記載の広角発光ダイオード灯具。
【請求項４】
前記第一係合部は、少なくとも一つの孔又は凹部であり、
前記第二係合部は、少なくとも一つの突出部である、ことを特徴とする請求項３に記載の広角発光ダイオード灯具。
【請求項５】
前記笠部の断面の角度は２４０度より大きい又は等しい角度である、ことを特徴とする請求項１に記載の広角発光ダイオード灯具。
【考案の詳細な説明】
【技術分野】
【０００１】
本考案は、シームレスに組合せ可能な広角発光ダイオード灯具に関する。
【背景技術】
【０００２】
従来、照明用白光を提供する蛍光灯を光源とした灯具は、室内照明で広くて使用されているものであり、構成が簡単で、コストが高くないなどの利点があるため、伝統的な照明技術の中では最も主要なものである。
【０００３】
しかしながら、蛍光灯は、体積が大きいので、製造、使用又は廃棄される際に、大量な水銀が放出され、環境汚染を招いてしまう危険性がある。蛍光灯は寿命が１０００時間と短いうえ、フィラメントの発熱に使われた電気エネルギーのうち、わずか１０％だけが可視光線に変わり、残り９０％の電気エネルギーは、無用な熱などに変わり空気へ散逸してしまう。これらの欠点により、蛍光灯は、自然環境に負担をかけるものである。
【０００４】
近年、発光ダイオード（以下、ＬＥＤ）照明が発展している。例えば、伝言、通信、消費性電子製品の指示器及び表示設備など、広く日常生活に使用されている。特に白光ＬＥＤの出現により、ＬＥＤが光源又は照明製品として使用され、新しい時代を開いている。光源又は照明製品は、ＬＥＤにおいて最大な、発展可能性がある市場であり、消費者が嗜好する製品が様々に開発されている。
【０００５】
ＬＥＤは、環境にやさしく、省エネルギー、高効率、長い使用寿命、小型の体積、及び速い反応などの利点を有している。伝統的な蛍光灯の欠点を避け、環境にやさしく、かつＣＯ2排出削減と省エネルギー効果との要求に応じるために、照明技術領域の当業者はＬＥＤ灯具を開発した。ＬＥＤ灯具は、各種の照明に使用されている。ＬＥＤ照明は、２１世紀の光源として、伝統的な光源に代わり、主要な照明光源として使用できると認識されている。
【考案の概要】
【考案が解決しようとする課題】
【０００６】
Ｔ５型などの直管形発光ダイオード灯具は、実際に使用される際に、室内の空間に応じて複数で直列することにより用いられることがある。この直列型方式においては、各灯具同士の間をシームレスで正確に組合せることが困難である。そのため、室内空間に照明光源が配置されると、灯具が区切られたように感じる。即ち、使用者は、それらが別々に区切られた灯具であることに容易に気づく。従って、外観上、低い組み合わせ技術により構成されたものであるという感覚を与えてしまい、室内空間の設計品質の向上が妨害される。
【０００７】
また、Ｔ５型などの直管形発光ダイオード灯具は、実際に使用される際には、外部の笠は略半円形の殻体であり、出光面が小さい。これより内部の発光ダイオードが発光する際に、光が集中し過ぎ、光が均一に出射しないという欠点がある。
【０００８】
本考案は、上記の問題点に鑑みてなされたものであり、その目的は、シームレスに組合せ可能な広角発光ダイオード灯具を提供するものである。
【課題を解決するための手段】
【０００９】
灯フレーム、電源モジュール、第一灯ヘッド、第二灯ヘッド、及び、発光ダイオードモジュールを備える広角発光ダイオード灯具を提供する。灯フレームは、断面が矩形となる底収容部、及び、底収容部と互いに連通している弧状の透明カバー体である笠部を有し、両端にそれぞれ開口が形成された長尺状の中空シェル状のプラスチック製管部材である。電源モジュールは、灯フレームの底収容部内に固定される。第一灯ヘッドは、断面形状が灯フレームの一つの開口に対応し、電源モジュールに電気的に接続している雌コネクタ、及び、笠部に対応する部分が薄板状に形成された第一プラグを有し、一つの開口に固定される。
第二灯ヘッドは、断面形状が灯フレームの他の開口に対応し、電源モジュールに電気的に接続し雌コネクタに対応する雄コネクタ、及び、笠部に対応する部分が薄板状に形成された第二プラグを有し、他の開口に固定される。発光ダイオードモジュールは、笠部内に固定され、電源モジュールに電気的に接続する。
【００１０】
好ましくは、第一プラグと第二プラグは、透明である。
【００１１】
好ましくは、開口に近接する灯フレームの側壁面に第一係合部が設置され、第一灯ヘッドの一側、及び第二灯ヘッドの一側に、それぞれに第二係合部が設置され、第二係合部は、第一係合部と係合する。
【００１２】
好ましくは、第一係合部は、少なくとも一つの孔又は凹部であり、第二係合部は、少なくとも一つの突出部である。
【００１３】
好ましくは、笠部の断面が２４０度より大きい又は等しい角度である。
【００１４】
本考案は、優れた照明効果を提供する広角発光ダイオード灯具を実現することができる。複数の、広角発光ダイオード灯具が直列に接続した後、プラグが無色透明となり透光性を有するので、地面にいる使用者は、それらの灯具同士の間に間隔があるとは感じず、それらの灯具同士がシームレスに組み合わせられたものであると感じるので、室内空間の設計品質が向上する。
【００１５】
なお、笠部の断面の角度が少なくとも２４０度の広角タイプ出光面を具える特性によれば、光が均一に出ているような優れた効果を奏することができる。なお、笠部と底収容部が一体成形となるプラスチック材質から構成されることにより、有効的に重量を減少させ、組立てのプロセスを簡単にすることができる。これらは、従来の技術が達することができないレベルにあるものである。
【図面の簡単な説明】
【００１６】
【図１】本考案の広角発光ダイオード灯具を示す分解斜視図である。
【図２】本考案の広角発光ダイオード灯具を示す平面図である。
【図３】本考案の広角発光ダイオード灯具の応用実施例を示す図である。
【考案を実施するための形態】
【００１７】
上記の目的、技術的特徴、及び実施した後の利点をより明らかにするために、以下、本考案に係る好ましい実施形態について、図面を参照しながら詳細的に説明する。
図１は、本考案の広角発光ダイオード灯具を示す分解斜視図である。図２は、本考案の広角発光ダイオード灯具を示す平面図である。図１及び図２に示したように、本考案に提出された広角発光ダイオード灯具１は、好ましい実施例の一つとして、灯フレーム１０と、電源モジュール２０と、第一灯ヘッド３０と、第二灯ヘッド４０と、ＬＥＤモジュール５０とを含んでなる。本考案の広角発光ダイオード灯具１はシームレスに組み合わせ可能である。
【００１８】
灯フレーム１０は、長尺状の中空シェル状のプラスチック製管部材とし、両端にそれぞれ開口１１がある。灯フレーム１０は、底収容部１２と笠部１３を含んでなる。底収容部１２は、断面が矩形となる。笠部１３は、断面の角度が２４０度より大きい又は等しい角度を有する、弧状の透明カバー体である。笠部１３は、底収容部１２と互いに連通している。開口１１に近接する灯フレーム１０の側壁面に、少なくとも一つの孔又は凹部である、第一係合部が設置されている。
【００１９】
電源モジュール２０は、灯フレーム１０の底収容部１２内に対応的に固定されており、配線を通し照明用電力を提供するものである。
【００２０】
第一灯ヘッド３０は、灯フレーム１０の一つの開口１１に対応的に固定され、且つ其の断面形状が開口１１に対応している。第一灯ヘッド３０の一側に、第二係合部が設置されており（図示せず）、第一係合部と接触してから対応的に直接に係合することができる。第二係合部は、少なくとも一つの突出であってもよく、第一灯ヘッド３０が開口１１を通り過ぎる際に、第一係合部と第二係合部との接触を通し固定の力を発生させ、第一灯ヘッド３０を開口１１に固定させるものである。第一灯ヘッド３０の外側に、電源モジュール２０に電気的に接続している、雌コネクタ３１が設置されている。
【００２１】
なお、第一灯ヘッド３０の笠部１３を封止している箇所に対応する部分を、第一プラグ３２とする。第一プラグ３２は、薄板状に形成されている。第一プラグ３２は、透明であってもよい。
【００２２】
第二灯ヘッド４０は、灯フレーム１０の他の開口１１に対応的に固定され、且つ其の断面形状が開口１１に対応している。第二灯ヘッド４０の一側に、第二係合部が設置されており（図に示せず）、第一係合部と接触してから対応的に直接に係合することができる。第二係合部は、少なくとも一つの突出であってもよく、第二灯ヘッド４０が開口１１を通り過ぎる際に、第一係合部と第二係合部との接触を通し固定の力を発生させ、第二灯ヘッド４０を開口１１に固定させるものである。第二灯ヘッド４０の外側に、電源モジュール２０に電気的に接続しており且つ外形が雌コネクタ３１に対応しておる、雄コネクタ４１が設置されている。
【００２３】
また、第二灯ヘッド４０の笠部１３を封止している箇所に対応する部分を、第二プラグ４２とする。第二プラグ４２は、薄板状に形成されている。第二プラグ４２は、透明であってもよい。
【００２４】
図３は、本考案の広角発光ダイオード灯具の応用実施例を示す図である。図３を参照し、雄コネクタ４１は、もう一つの広角発光ダイオード灯具１の、雌コネクタ３１と係合してもよく、シームレスに直列に組合せに達する。
【００２５】
ＬＥＤモジュール５０は、笠部１３内に対応的に固定され、且つ電源モジュール２０に電気的に接続している。
【００２６】
本考案は、優れた照明効果を提供する広角発光ダイオード灯具を実現することができる。複数の、広角発光ダイオード灯具１が直列に接続した後、プラグが無色透明となり透光性を有するので、地面にいる使用者は、それらの灯具同士の間に間隔があること代わりに、さらにそれらの灯具同士がシームレスに組み合わせられたものであることが気づき、室内空間の設計感が向上する。
【００２７】
なお、笠部１３の断面の角度が少なくとも２４０度の広角タイプ出光面を具する特性によれば、光が均一に出ているような優れた効果を奏することができる。なお、笠部１３と底収容部１２が一体成形となるプラスチック材質から構成されることにより、有効的に整体的重量を減少させ、組立てのプロセスを簡単にすることができ、従来の技術が達することができないレベルにあるものである。
【符号の説明】
【００２８】
１  広角発光ダイオード灯具
１０  灯フレーム
１１  開口
１２  底収容部
１３  笠部
２０  電源モジュール
３０  第一灯ヘッド
３１  雌コネクタ
３２  第一プラグ
４０  第二灯ヘッド
４１  雄コネクタ
４２  第二プラグ
５０  ＬＥＤモジュール
【図１】
0003212871.tif 000003
【図２】
0003212871.tif 000004
【図３】
0003212871.tif 000005